(57)【要約】      （修正有）【課題】広告宣伝用のシート（写真、商品説明文、ちらしなど）を、単に差し込んだり、取り出したりするだけで、シート状媒体を自在に差し替えることができる展示パネルを提供する。【解決手段】シート状媒体Ｓを載せる矩形状の台紙４０と、台紙の各縁部周辺を挟持する４つの枠片からなる枠体１０Ｂと、枠体の上面を覆い、台紙との間に少許の間隙を有するように、枠体に貼着された透明板１０Ａと、枠片のいずれかに形成されたシート状媒体の挿入口とで、展示パネルが構成される。挿入口を介して間隙内にシート状媒体を進退自在に収納することでシート状媒体を交換できるようにした。【選択図】図１０
0003221242.tif 000002
【実用新案登録請求の範囲】
【請求項１】
シート状媒体を載せる矩形状の台紙と、
この台紙の各縁部周辺を挟持する４つの枠片からなる枠体と、
この枠体の上面を覆い、上記台紙との間に少許の間隙を有するように、上記枠体に貼着された透明板と、
上記枠片のいずれかに形成された上記シート状媒体の挿入口と
で構成され、上記挿入口を介して上記間隙内に上記シート状媒体を進退自在に収納することで上記シート状媒体を交換できるようにした
ことを特徴とする展示パネル。
【請求項２】
上記枠片に設けられた台紙挟持片の厚みによって上記間隙が形成される
ことを特徴とする請求項１記載の展示パネル。
【請求項３】
上記シート状媒体の挿入口を構成する上記枠片には外側に向かって開口した傾斜面からなるガイド面が形成された
ことを特徴とする請求項１記載の展示パネル。
【請求項４】
上記枠片のコーナ部には、隣接する枠片同士を連結する連結片が介挿された
ことを特徴とする請求項１記載の展示パネル。
【請求項５】
上記何れかの枠片の内側には線状光源が配された
ことを特徴とする請求項１記載の展示パネル。
【請求項６】
上記台紙は、上記透明板側に照明光を導く導光機能を有する
ことを特徴とする請求項１記載の展示パネル。
【請求項７】
上記枠片のうち上記台紙の裏面側に設けられた挟持片は、上記台紙を保持する保持機能が付与された
ことを特徴とする請求項１記載の展示パネル。
【考案の詳細な説明】
【技術分野】
【０００１】
この考案は、店舗のウインドや展示会場などにおいて商品や製品の広告宣伝などのために使用する広告宣伝用媒体（シート状媒体）を簡単に差し替えることができる扁平な展示パネルに関する。
【背景技術】
【０００２】
写真立てを始めとして、店舗のウインドや展示会場などにおいて写真などの他に、商品や製品の広告宣伝のために使用する広告宣伝用の広告宣伝用媒体（シート状媒体、以下シートという）を挟んで使用する展示パネルとしては、特許文献１や特許文献２などが知られている。
【０００３】
特許文献１は、額縁本体２から裏板４を外し、新しい写真Ｐ２を裏板４の上に置いた状態で、係止具２８を回動し、その後ネジ２７を締め付けて固定することで写真Ｐ２を取り替えることができる。
【０００４】
特許文献２は、被展示物９を裏板部３２上に載置し、その状態で中板部３１を折返部１１を介して裏板部３２の上に被せる。その後で、延出部３１０を中板部３１側に折り返して係止部４０，５０を用いて延出部３１０を中板部３１に固定することで被展示物９を取り替えることができる。
【先行技術文献】
【特許文献】
【０００５】
【特許文献１】特開２００１−１２０４０３号公報
【特許文献２】特開２０１６−２１４５０３号公報
【考案の概要】
【考案が解決しようとする課題】
【０００６】
ところで、上述した特許文献１では、裏板４を外した上で写真Ｐを交換し、その後係止具２８を回動してからネジ２７を締め付けて固定しないと、写真を交換することできない。したがって、写真の交換が面倒である。
【０００７】
特許文献２でも、いちいち延出部３１０を中板部３１から外して中板部３１を開放しないと、被展示物９を交換することができず、これまた被展示物９の交換作業が面倒であり、その構成も複雑である。
【０００８】
そこで、この考案はこれらの従来の課題を解決したものであって、店舗のウインドや展示会場などにおいて商品や製品の広告宣伝のために使用する広告宣伝用のシート（写真、商品説明文、ちらしなど）を額縁本体に対して挿入するだけで、自在に差し替えることができる扁平な展示パネルを提案するものである。
【課題を解決するための手段】
【０００９】
上述した課題を解決するため、請求項１記載の考案に係る展示シートは、シート状媒体を載せる矩形状の台紙と、この台紙の各縁部周辺を挟持する４つの枠片からなる枠体と、この枠体の上面を覆い、台紙との間に少許の間隙を有するように、枠体に貼着された透明板と、枠片のいずれかに形成されたシート状媒体の挿入口とで構成され、挿入口を介して間隙内にシート状媒体を進退自在に収納してシート状媒体を交換できるようにしたことを特徴とする。
【００１０】
請求項２記載のこの考案に係る展示シートは、請求項１において枠片に設けられた台紙挟持片の厚みによって間隙が形成されることを特徴とする。
【００１１】
請求項３記載のこの考案に係る展示シートは、請求項１においてシート状媒体の挿入口を構成する枠片は外側に向かって開口した傾斜面からなるガイド面となされたことを特徴とする。
【００１２】
請求項４記載のこの考案に係る展示シートは、請求項１における枠片のコーナ部には、隣接する枠片同士を連結する連結片が介挿されたことを特徴とする。
【００１３】
請求項５記載のこの考案に係る展示シートは、請求項１において何れかの枠片の内側には線状光源が配されたことを特徴とする。
【００１４】
請求項６記載のこの考案に係る展示シートは、請求項１における台紙は、透明板側に照明光を導く導光機能を有することを特徴とする。
【００１５】
請求項７記載のこの考案に係る展示シートは、請求項１における枠片にあって、この枠片を構成する一対の挟持片のうち台紙裏面側に設けられた挟持片は台紙を保持する保持機能が付与されたことを特徴とする。
【考案の効果】
【００１６】
以上説明したようにこの考案に係る展示パネルは、枠体を構成する枠片の１つにシートを抜き差しできるガイド面（シート挿入口）を設け、このガイド面側から枠体と透明板との間に形成された間隙内に、シートを差し込むことでシートの挿着を行い、ガイド面を介してシートの差し替えができるようにしたものである。
【００１７】
これによれば、額縁の表面や裏面側の板体を外したりすることなく、非常に簡単にシートの交換を実現できる。そのため、例えば展示会場において商品説明のために何度か説明用のシートを差し替えなければならないときでも、僅かな時間（数秒）で差し替え作業を遂行できる特徴を有する。額縁として個人的に使用する場合でも、思い出の写真などを簡単に交換できるので、非常に便利である。
【図面の簡単な説明】
【００１８】
【図１】この考案に係る展示パネルの一例を示す斜視図である。
【図２】その平面図である。
【図３】その背面図である。
【図４】図２におけるＡ−Ａ線状断面図である。
【図５】図２のおけるＢ−Ｂ線状断面である。
【図６】図４のＥ・Ｅ部分の拡大図である。
【図７】ネジを締めた状態のＥ・Ｅ部分の拡大図である。
【図８】図３におけるＣ・Ｄ部分の拡大図である。
【図９】図５におけるＦ・Ｆ部分の拡大図である。
【図１０】シート挿入開始時におけるＦ・Ｆ部分の拡大断面図である。
【図１１】シート挿入完了時におけるＦ・Ｆ部分の拡大断面図である。
【図１２】隣接する枠片の端部の間に挿入される金具の一例を示す図である。
【図１３】展示パネルの使用状態の一例を示す斜視図である。
【図１４】この考案における他の実施例を示す図９と同様な部分拡大図である。
【図１５】この考案におけるさらに他の実施例を示す図９と同様な部分拡大図である。
【考案を実施するための形態】
【実施例】
【００１９】
続いて、この考案に係る展示パネルの一例を、図面を参照して説明する。この考案に係る展示パネルはシートのみを単にスライドさせて出し入れするだけで、シートの取り替えを簡単に行えるように工夫したものである。
【００２０】
展示パネルは扁平なパネル（広告板）であって、ＡサイズからＢサイズまで、用途に応じて多用なサイズが用意されている。図ではＡ４サイズの展示パネルを示す。図１〜図５に示すように、展示パネル１０は透明板１０Ａと、額縁として機能する枠体１０Ｂとで構成された扁平形状をなす。透明板１０Ａは枠体１０Ｂに貼着されて一体化されている。
【００２１】
透明板１０Ａは、図２等に示すように透過性を有する０．５〜１．０ミリ程度の厚みを有する透明板体であって、この例では透明アクリル板が使用されている。枠体１０Ｂはステンレス材などで成形された成形体であって、図２からも明らかなように、枠体１０Ｂは上下左右の４つの枠片１２〜１８で構成され、これらが一体的に組み合わされて額縁として機能する。枠片１２と１４、枠片１４と１６、枠片１６と１８および枠片１８と１２をそれぞれ連結するため、それぞれのコーナー部には、コーナー部を跨ぐようにＬ字状をなす４つの連結片５０〜５６が使用される。詳細は後述する。
【００２２】
４つの枠片１２〜１８のうち、長辺側の枠片１２，１６と、短辺側の枠片１４，１８とではその構造が若干相違する。長辺側の枠片１２，１６は主として台紙４０を挟持するために機能するが、短辺側の枠片１４，１８の一方は台紙４０を挟持する他にシートＳの出し入れ時のガイド部（シート挿入口）としても機能する。
【００２３】
シート等を載置する台紙４０は図６に示すように、所定の厚みを有する導光板４０ａと、その裏面側に貼着された反射シート４０ｂと、導光板４０ａの表面側（透明板１０Ａ側）に貼着された導光シート４０ｃとで構成される。
【００２４】
台紙４０の上下左右の各端面は４つの枠片１２〜１８によって挟持して固定される。長辺側の枠片１２，１６のうち、枠片１６について図６を参照して説明する。図６は、図４のＥ・Ｅ部分の拡大断面図である。
【００２５】
枠片１６は、断面がほぼコ字状をなす空間２４を有した左右一対の挟持片１６ａ、１６ｂで構成され、透明板１０Ａ側に位置する挟持片１６ａの幅Ｗが額縁の縁の部分となり、この縁の部分の幅Ｗで透明板１０Ａの端面が支えられる。台紙４０の端縁は枠片１６の空間２４内の所定位置まで挿入され、その状態で左右一対の挟持片１６ａ、１６ｂによって挟持固定される。空間２４内には図示するような線状の光源７０が取り付け固定されている。
【００２６】
線状光源７０は枠片１６とほぼ同じ長さを有し、線状光源７０からの光が台紙４０側に効率よく導かれるように凸状をなし、その突部が台紙４０の端縁に接するように配置されている。線状光源７０としてはＬＥＤ等が使用される。線状光源７０の発光色は、自然光以外でも用途に応じた発光色を選択できる。線状光源７０は一方の枠片１２内にも取り付けられ、上下から台紙面の全体を明るく照らすように工夫されている。
【００２７】
一方の挟持片１６ａの先端部１６ｃは、後述するシートＳを挿入するときのガイド溝として機能するように断面がほぼＵ字状をなす。これに対し、他方の挟持片１６ｂは、台紙４０を保持し、補強する補強材としても機能する。
【００２８】
そのため、挟持片１６ｂの先端部は、その断面がほぼＣ字状（カギ型状）をなす中空のレール１６ｄとして構成される。台紙４０側の面１６ｅが台紙４０と当接するようになされており、この当接面１６ｅと上述した一方の挟持片１６ａとによって台紙４０を強固に挟持することができる。
【００２９】
他方の挟持片１６ｂは、台紙４０を挟持固定する他に、台紙４０そのものの重さを支える必要があるため、上述したようにカギ型のレール１６ｄとして構成されると共に、所定の強度を持つようにその長さＬや厚みなどが選定されている。中空のレール１６ｄとすることで軽量ながら機械的強度を増すことができる。レール１６ｄの構造も所定強度の一端を担っていることになる。
【００３０】
レール１６ｄ内には図６に示す連結片５２が嵌め込まれている（図３参照）。レール１６ｄの内寸は、連結片５２の幅よりも若干広く、連結片５２の他半部５２ｂには、その長さの中間部にネジ溝が切られ、ここに嵌め込まれたネジ（図８において図示）を利用して連結片５２と枠片１６との連結を行っている。
【００３１】
図６に示すネジ６２（６２ｂ）を締め付けることで、他半部５２ｂがレール１６ｄの開放端１６ｆ側に押し付けられるため、これによって連結片５２を挟持片１６ｂ、したがって枠片１６に固定することができる。図６の状態はネジ６２ｂを締め付けた状態を示し、図７の状態は緩めた状態を示す。
【００３２】
これらの関係について、図８を参照して説明する。図８は説明の便宜上、図３のうち左上辺側に嵌め込まれた連結片５０と枠片１２、１４との関係を示す。
【００３３】
連結片５０は９０度に折り曲げられた金属板であって、同じ長さの一半部５０ａと他半部５０ｂからなり、枠片１２と１４の各端面側からそれぞれのレール１２ｄと１４ｄに差し込まれている。差し込まれた状態では、枠片１２と１４とは一体化していないが、一半部５０ａと他半部５０ｂとにそれぞれ設けられたネジ６０ａ、６０ｂを締め付けることで、一半部５０ａはレール１２ｄの開放端（フランジ）１６ｆ側に押圧され、他半部５０ｂはレール１４ｄの開放端１４ｆ側に押圧されるので、枠片１２と１４とはこの連結片５０を介して一体化される。
【００３４】
図３のように連結片５０以外の連結片５２〜５６も、同じようにそれぞれに設けられたネジ（図３では示されていない）を締め付けることで４つの枠片１２〜１８の全てが一体化されて１つの枠体１０Ｂとなる。図３では、４つの連結片５０〜５６のそれぞれに同一形状の保護カバー（樹脂製）が被せられているので、図３には締め付け用のネジは図示されていない。
【００３５】
４つの枠片１２〜１８の端面同士を付き合わせると、端面と端面との間に隙間ができるので、この隙間をカバーするために図１２のような樹脂製の角金具３０が使用され、図３のようにそれぞれのコーナー部に角金具３０ａ〜３０ｄが装着される。この例では図１２に示すような一対の爪３２ａ、３２ｂを利用して角部に装着される。角金具３０ａ〜３０ｄを装着することで、各コーナー部は丸味を帯びるので、図１のように綺麗な展示パネル１０となる。
【００３６】
図３に示すようにレール１２ｄ〜１８ｄのそれぞれには一対のナット（８０ａ、８０ｂ）〜（８６ａ、８６ｂ）が摺動自在に介挿されている。これらのナット（８０ａ、８０ｂ）〜（８６ａ、８６ｂ）は、展示パネル１０を立て掛けて使用するときのピン９０（図１３参照）を留めるために使用されるものである。ピン９０を締め付ければ、その位置でピン９０が固定されるため、レール１２ｄ〜１８ｄ上の位置を調整するだけで、図１３のように展示パネル１０の立て掛け角度を自在に調整できる。短辺側のナット（８２ａ、８２ｂ）と（８６ａ、８６ｂ）を使用すれば、展示パネル１０を横長にして立て掛けることができ（図１３参照）、長辺側のナット（８０ａ、８０ｂ）と（８４ａ、８４ｂ）を使用すれば縦長にして立て掛けることができる。もちろん、同じ枠片同士の２個のナットに短めのピンを留め、紐を介してフックにかければ、展示パネル１０を壁かけ用としても使用することできる。
【００３７】
続いて、短辺側の枠片１４，１８について図９以下を参照して説明する。図５は長辺側を切断した断面図であり、その左端部側に位置する枠片１４を図９に拡大して示す。
【００３８】
図９のようにこの枠片１４もコ字状の空間を有した一対の挟持片１４ａ、１４ｂを有し、そのうちの外側の挟持片１４ｂは、長辺側の挟持片１２ｂ、１６ｂと同じ構成が採用されている。これに対し、内側の挟持片１４ａには図示するような外側に開口した傾斜面を有するガイド面９２が形成されている。
【００３９】
ガイド面９２はシートＳの出し入れ時に使用するシート挿入口として機能するように、左側の枠片１４は外側に向かって比較的大きな開口を有する。透明板１０Ａと台紙４０との間には、挟持片１２ａ〜１８ａの厚みに相当する間隙６５が形成される。
【００４０】
広告宣伝用や写真などのシートＳは図１０に示すようにガイド面９２を利用して左側の枠片１４側より間隙６５内に挿入される。挿入の仕方は千差万別であるが、ガイド面９２に沿いながらシートＳを挿入すれば、より簡単に間隙６５内にシートＳを挿入できる。シートＳのサイズは枠体１０Ｂのサイズに合わせた大きさに選定されているため、シートＳを間隙６５内に完全に差し込むと、図１１のようにシートＳの端縁が僅かに枠片１４の内側に位置した状態となる。
【００４１】
間隙６５内にシートＳが完全に差し込まれると、台紙４０の表面と透明板１０Ａの裏面との間に、余り隙間を空けることなくシートＳが介在することになるから、昼間ではシート表面の内容をそのまま視認することができる。夜間では線状光源７０を点灯させることで、その照明光を介してシート表面の内容を視認できる。
【００４２】
シートＳを取り替えたいときは、シートＳの端を摘んで間隙６５内より引き出して、新たなシートＳを入れ替えればよい。したがってシートＳの差し込みや、交換が極めて簡単である。
【００４３】
図９の例は、ガイド面９２は短辺側枠片１４に形成した場合であるが、反対側の枠片１８側に設けてもよいし、長辺側の枠片１２，１６であってもよい。長辺側であるときは、例えば頂面側に位置する枠片１２側にガイド面９２が設けられる。その場合には、線状光源７０は短辺側の枠片１４，１８に設置されることになる。
【００４４】
展示パネル１０が大型化すると、図６〜図９に示すような枠片１２〜１８では、充分な強度が得られなくなる場合も想定される。そのような場合には、大型パネル用として図１４および図１５に示すような枠片が使用される。図１４は短辺用枠片１４，１８に対応した構成を有する大型用枠片であり、図１５は同じく長辺用枠片１２，１６に対応した大型用枠片である。
【００４５】
詳細は割愛するが、何れも台紙４０の裏面側に位置する挟持片１４ｂあるいは１６ｂの厚みを厚くすると共に、その長さＬを２倍程度ながくしてある。こうすることで、台紙４０を支える面積が増えるため、パネルが大型化しても充分な強度を確保できる。図１５に示すように、内側の挟持片１６ａの先端部は十手状の形状となされた分岐状のガイド溝１６ｃが採用されている。
【産業上の利用可能性】
【００４６】
この考案に係る展示パネルは、個人用の写真立てや、業務用の広告板などに適用して好適である。
【符号の説明】
【００４７】
１０・・・展示パネル
１０Ａ・・・透明板
１０Ｂ・・・枠体
１２〜１８・・・枠片
４０・・・台紙
５０〜５６・・・連結片
６０〜６６・・・ネジ
９２・・・ガイド面
７０・・・線状光源
Ｓ・・・シート状媒体
【図１】
0003221242.tif 000003
【図２】
0003221242.tif 000004
【図３】
0003221242.tif 000005
【図４】
0003221242.tif 000006
【図５】
0003221242.tif 000007
【図６】
0003221242.tif 000008
【図７】
0003221242.tif 000009
【図８】
0003221242.tif 000010
【図９】
0003221242.tif 000011
【図１０】
0003221242.tif 000012
【図１１】
0003221242.tif 000013
【図１２】
0003221242.tif 000014
【図１３】
0003221242.tif 000015
【図１４】
0003221242.tif 000016
【図１５】
0003221242.tif 000017